(57)【要約】【課題】注文途中において顧客に現状の注文状況を報知し、顧客にその時点で注文処理をやり直すかどうかを判断させることができる写真冊子注文受付技術を提供する。【解決手段】入力された、複数枚の本文頁シートからなる写真冊子の注文金額に関係する注文条件情報を設定する注文条件情報設定部２３と、本文頁シートに１コマ以上の撮影画像を割り付ける割付処理を管理するコマ割付管理部３０と、注文条件情報を参照して未割付本文頁シートまたは未割付プリント候補撮影画像あるいはその両方に関する未処理情報を生成する未処理情報生成部３１と、生成された前記未処理情報を報知する未処理情報報知部３２と、入力された注文条件情報変更指令に基づいて前記注文条件情報設定部で設定された注文条件情報を変更する注文条件情報変更部３３と、変更された注文条件情報に基づいて撮影画像の割り付けを調整するコマ割付調整部３４とが備えられている。【選択図】図１
2011075994.tif 000002
【特許請求の範囲】
【請求項１】
入力された、複数枚の本文頁シートからなる写真冊子の注文金額に関係する注文条件情報を設定する注文条件情報設定部と、
前記写真冊子に組み込み可能な複数コマの撮影画像をプリント候補撮影画像として格納するプリント候補撮影画像格納部と、
前記本文頁シートに１コマ以上の前記撮影画像を割り付ける割付処理を管理するコマ割付管理部と、
前記注文条件情報設定部に設定されている注文条件情報を参照して、未割付本文頁シートまたは未割付プリント候補撮影画像あるいはその両方に関する未処理情報を生成する未処理情報生成部と、
生成された前記未処理情報を報知する未処理情報報知部と、
入力された注文条件情報変更指令に基づいて前記注文条件情報設定部で設定された注文条件情報を変更する注文条件情報変更部と、
前記注文条件情報変更部によって変更された注文条件情報に基づいて前記本文頁シートへのプリント候補撮影画像の割り付けを調整するコマ割付調整部と、
が備えられている写真冊子注文受付機。
【請求項２】
前記注文条件情報変更部は、本文頁シート当たりに割り付けられる撮影画像のコマ数を変更する請求項１に記載の写真冊子注文受付機。
【請求項３】
前記注文条件情報変更部は、前記本文頁シートのプリントサイズを変更する請求項１または２に記載の写真冊子注文受付機。
【請求項４】
前記注文条件情報変更部は、予め入力設定されている注文金額を変更する請求項１から３のいずれか一項に記載の写真冊子注文受付機。
【請求項５】
前記未処理情報は所定のタイミングでモニタに表示される請求項１から４のいずれか一項に記載の写真冊子注文受付機。
【請求項６】
入力された、複数枚の本文頁シートからなる写真冊子の注文金額に関係する注文条件情報を設定する注文条件情報設定機能と、
前記写真冊子に組み込み可能な複数コマの撮影画像をプリント候補撮影画像としてプリント候補撮影画像格納部に格納させる撮影画像格納機能と、
前記本文頁シートに１コマ以上の前記撮影画像を割り付ける割付処理を管理するコマ割付管理機能と、
先に設定されている注文条件情報を参照して、未割付本文頁シートまたは未割付プリント候補撮影画像あるいはその両方に関する未処理情報を生成する未処理情報生成機能と、
生成された前記未処理情報を報知する未処理情報報知機能と、
先に設定されている注文条件情報を入力された注文条件情報変更指令に基づいて変更する注文条件情報変更機能と、
変更された注文条件情報に基づいて前記本文頁シートへのプリント候補撮影画像の割り付けを調整するコマ割付調整機能と、
をコンピュータに実現させる写真冊子注文受付プログラム。
【発明の詳細な説明】
【技術分野】
【０００１】
本発明は、入力された複数コマの撮影画像を複数枚の頁シートに割り付けることにより制作される写真冊子の注文のための写真冊子注文受付技術に関する。
【背景技術】
【０００２】
従来、カメラで取得した撮影コマ画像（以下単に撮影画像と称する）は、ＤＰ店で１つの撮影画像毎に一枚の写真プリントとしてプリント出力され、これらの写真プリントを数枚まとめて1ページの台紙に貼り付けられ、写真アルバム（写真冊子）が作成されていた。最近は、写真プリント用のプリント出力機がデジタル化されており、一枚の写真プリントシートに複数の撮影画像を形成することで写真冊子を制作する技術も報告されている（例えば、特許文献１参照）。さらには、インクジェット方式のプリント出力機などでは、写真プリントシートの裏表に撮影画像を形成することが可能となり、写真プリントシートのみで表紙、本文頁、裏表紙を作製することも可能となっている。
また、店頭で接客サービスを受けながら写真プリントの注文を行うという従来の方法に代えて、写真プリントの注文をプリント注文者が自ら写真プリントの作製枚数情報を含む写真プリントの作製条件をモニタに表示されている操作案内を見ながら入力するプリント注文受付端末装置も普及している（例えば、特許文献２参照）。このプリント注文受付端末装置は、プリント注文者が入力操作する入力操作部と、その入力操作部への入力操作時の操作案内を表示するモニタと、前記作製条件の入力情報に基づいて写真プリント作製料金を計算する料金計算部と、写真プリントの作製注文の受付けを制御するプリント注文制御部とが備えられ、写真プリント装置による前記作製条件での写真プリントの作製を指示するように構成されている。これによりＤＰ店では接客コストを低減することができる。
このような接客サービスを伴わない写真プリント注文のさらに別な形態として、注文者と写真プリントの作製者である写真プリント受注者がネットワークで結ばれており、ネットワークを通じて写真注文が行われる写真注文受付システムも知られている（例えば、特許文献３参照）。この写真注文受付システムでは、センターサーバと該センターサーバとネットワークを介して通信可能に接続された撮影者が利用する撮影者端末と注文者が利用する注文者端末とがシステムを構築しており、写真プリント注文の自在性を高めている。さらに、注文者が予め注文の前に手ブレ等の失敗画像を消去したり、撮影者が自分の意図した画像と違う部分を補正したりすることも可能にしている。
【先行技術文献】
【特許文献】
【０００３】
【特許文献１】特開２００８−２４９７９９号公報（段落番号〔００３６〕−〔００３９〕、図７）
【特許文献２】特開２００８−９２３９号公報（段落番号〔０００１〕−〔０００６〕、図１）
【特許文献３】特開２００８−２４９７９９号公報（段落番号〔０００１〕−〔００２０、図１）
【発明の概要】
【発明が解決しようとする課題】
【０００４】
しかしながら、デジタルカメラやカメラ付き携帯電話等で採用されている半導体メモリなどの記録メディアの記録容量が年々巨大化しており、撮影によって取得され記録される撮影画像のコマ数は数百を越えることも珍しくはない。そのような記録メディアを用いて、特許文献２から知られているようなキオスク端末とも呼ばれているセルフサービスの写真冊子注文受付機や、特許文献３から知られているような、ユーザパソコンにインストールされる写真冊子注文受付プログラムを通じて写真冊子作成を行うサービスを行う場合、処理対象となる撮影画像のコマ枚数が多くなると、これまではない問題が生じる。例えば、そのようなサービスにおいて、写真冊子注文受付の前処理として、注文対象の写真冊子に割り付ける予定の撮影画像を予め選択しておいて、順次、各本文頁シートの割り付けていく際に、その各シートに割り付け可能な撮影画像のコマ数が所定の範囲で選択可能となっている場合、例えば、次のような問題が生じている。（１）注文処理が終わった段階で、希望した全ての撮影画像を割り付けるために必要な本文頁シートが多くなり、料金が予算を超えてしまい、再び最初から注文処理をやり直す必要が生じる、（２）注文処理が終わった段階で注文写真冊子のイメージをみると、それほど重要でない撮影画像が大きな面積割合を占めており、再び最初から注文処理をやり直す必要が生じる、（３）注文処理が終わった段階で注文写真冊子のページ数が多く、プリントサイズ（冊子サイズ）との関係で冊子の重さが予想を超えており、ハンディな写真冊子を制作するために再び最初から注文処理をやり直す必要が生じる、などである。
【０００５】
写真冊子に割り付ける撮影画像のコマ数が多い場合、注文処理の繰り返しは顧客に大きな負担となり、場合によっては、顧客が写真冊子制作の注文を諦めてしまうということになりかねない。
このため、本発明の目的は、注文処理が終わる前、つまり注文途中において顧客に現状の注文状況を報知し、報知される毎に顧客に、そのまま注文処理を続行してもよいか、あるいはその時点で注文処理をやり直したほうがいいのかを判断させることができる写真冊子注文受付機及び写真冊子注文受付プログラムを提供することである。
【課題を解決するための手段】
【０００６】
上記目的を達成するため、本発明による写真冊子注文受付機は、入力された、複数枚の本文頁シートからなる写真冊子の注文金額に関係する注文条件情報（冊子サイズ、頁枚数など）を設定する注文条件情報設定部と、前記写真冊子に組み込み可能な複数コマの撮影画像をプリント候補撮影画像として格納するプリント候補撮影画像格納部と、前記本文頁シートに１コマ以上の前記撮影画像を割り付ける割付処理を管理するコマ割付管理部と、前記注文条件情報設定部に設定されている注文条件情報を参照して、未割付本文頁シートまたは未割付プリント候補撮影画像あるいはその両方に関する未処理情報を生成する未処理情報生成部と、生成された前記未処理情報を報知する未処理情報報知部と、入力された注文条件情報変更指令に基づいて前記注文条件情報設定部で設定された注文条件情報を変更する注文条件情報変更部と、前記注文条件情報変更部によって変更された注文条件情報に基づいて前記本文頁シートへのプリント候補撮影画像の割り付けを調整するコマ割付調整部とを備えている。
【０００７】
この構成によると、写真冊子注文において撮影画像を割り付ける割付処理を行っている途中で、未割付本文頁シートまたは未割付プリント候補撮影画像あるいはその両方に関する未処理情報が生成されるので、この生成された未処理情報の報知をきっかけとしてこのまま注文処理を続行するべきかどうかを判断することができ、その判断結果に基づいて、顧客は冊子サイズや頁枚数などの注文金額に関係する注文条件情報を変更することができる。注文条件情報が変更されると、変更された注文条件情報に基づいて本文頁シートへのプリント候補撮影画像の割り付けが調整されるので、顧客は、注文処理途中で注文条件を変更しながら、想定内の写真冊子注文が可能となる。これにより、注文処理が終わった段階で、想定外の写真冊子になっていることに気づいて、再び最初から注文処理をやり直すといった無駄をなくすることができる。
【０００８】
本発明の好適な実施形態の１つでは、前記注文条件情報変更部は、本文頁シート当たりに割り付けられる撮影画像のコマ数を変更するように構成されている。この構成によれば、報知された未処理情報に鑑み、顧客がまだ割り付けられていない残りの撮影画像を多すぎると判断したり、このままでは本文頁シートの枚数が増えて最終的な写真冊子が厚すぎると判断したり、その料金が高くなりすぎると判断した場合、本文頁シート当たりに割り付けられる撮影画像のコマ数を多くすることで、そのような問題を解消することができる。逆に、撮影画像のコマ数を少なくすることで、1コマの撮影画像を大きくプリントし、豪華な印象をもつ写真冊子に途中変更することも可能である。
【０００９】
注文する写真冊子の料金をとにかく安くするためには、本文頁シートのプリントサイズを小さくすることが効果的である。このため、本発明の好適な実施形態の１つでは、前記注文条件情報変更部は、前記本文頁シートのプリントサイズを変更するように構成されている。
【００１０】
このような写真冊子制作の注文においては、支払う金額がキーポイントになることが多い。このため、本発明の好適な実施形態の１つでは、前記注文条件情報変更部は、予め入力設定されている注文金額を変更するように構成されている。注文金額、つまり写真冊子制作の料金が変更されることで、本文頁シート当たりに割り付けられる撮影画像のコマ数やプリントサイズといった注文条件を構成する種々の項目の少なくとも１つが変更されることになる。
【００１１】
顧客に、このままの注文処理の続行がよいかどうかを考慮してもらうための未処理情報が、所定のタイミングでモニタに表示されることが好ましい。そのタイミングとしては、所定分の割り込み処理が終了したタイミング、所定時間経過のタイミング、所定のルールに基づいてそのままの割付処理の続行が前設定した注文条件にそぐわないものになりそうだと判定されたタイミングなどが提案される。
【００１２】
また、本発明では、上述した写真冊子注文受付機における注文処理をコンピュータによって実現させる写真冊子注文受付プログラム自体も権利範囲としている。そのような、写真冊子注文受付プログラムは、入力された、複数枚の本文頁シートからなる写真冊子の注文金額に関係する注文条件情報を設定する注文条件情報設定機能と、前記写真冊子に組み込み可能な複数コマの撮影画像をプリント候補撮影画像としてプリント候補撮影画像格納部に格納させる撮影画像格納機能と、前記本文頁シートに１コマ以上の前記撮影画像を割り付ける割付処理を管理するコマ割付管理機能と、先に設定されている注文条件情報を参照して、未割付本文頁シートまたは未割付プリント候補撮影画像あるいはその両方に関する未処理情報を生成する未処理情報生成機能と、生成された前記未処理情報を報知する未処理情報報知機能と、先に設定されている注文条件情報を入力された注文条件情報変更指令に基づいて変更する注文条件情報変更機能と、変更された注文条件情報に基づいて前記本文頁シートへのプリント候補撮影画像の割り付けを調整するコマ割付調整機能とをコンピュータに実現させる。当然ながら、この写真冊子注文受付プログラムも上記写真冊子注文受付機で述べたすべての作用効果を得ることができる。さらに上述した写真冊子注文受付機において述べた好適な付加的機能を組み込むことも可能である。
【図面の簡単な説明】
【００１３】
【図１】本発明における写真冊子注文処理の流れを模式的に示すチャート図である。
【図２】本発明による写真冊子注文受付機の実施形態の１つにおける機能ブロック図である。
【図３】注文条件入力画面の一例としての冊子種類選択画面を示す模式図である。
【図４】プリント候補撮影画像選択画面の一例を示す模式図である。
【図５】編集画面の一例を示す模式図である。
【図６】編集画面と未処理情報表示画面と注文条件変更画面の移り変わりを説明する説明図である。
【発明を実施するための形態】
【００１４】
以下、本発明の実施の形態を図面に基づいて説明する。
図１は、本発明に係る写真冊子注文受付機の好適な実施の形態における写真冊子注文処理を行うための機能部及び制御の流れを模式的に示すチャート図である。図２は、そのような好適な実施の形態の１つにおける機能ブロック図である。この実施の形態では、写真冊子注文受付機は、ＤＰショップなどの写真サービス店やコンビニエンスストア等の店頭に設置されるセルフサービス式注文受付機である。この注文受付機では、デジタルカメラやカメラ付き携帯電話を利用して取得され、フラッシュメモリなどの記録メディアに記録された大量の撮影画像から選択されたプリント候補撮影画像が写真冊子の構成要素である頁シートに適切に割り付けられることにより、写真冊子制作用プリントデータが生成され、プリント出力機に転送される。各種操作は、モニタに表示される注文受付処理に関する各種の情報に案内されながら、モニタ１０に装備された操作入力デバイスとしてのタッチパネル１１を通じて、実質的に顧客によるセルフサービスで行われる。この注文受付機には、基本的にはコンピュータプログラムで実現される種々の機能を有するコントロールユニット２が組み込まれている。
【００１５】
写真冊子制作の注文を行う顧客は、モニタ１０に表示されているスタート画面を見ながらタッチパネル１１を通じて操作して、注文処理をスタートさせる（＃０１）。モニタ１０に表示される注文条件入力画面を通じて、写真冊子の注文金額に関係する、冊子サイズや本文頁シート枚数や本文頁シートにおいて割り付けられる撮影画像の最大コマ数などからなる注文条件情報を設定する（＃０２）。
【００１６】
このような注文条件情報を設定するためにモニタ２０に表示される注文条件入力画面の一例である冊子種類選択画面が図3に示されている。ここでは写真冊子の体裁、及び体裁毎のシートサイズと冊子頁数（表紙と裏表紙を含めた本文頁シートの枚数で表すことも可能）が設定可能となっている。この冊子種類選択画面では図示されていないが、設定される注文条件に対応する料金も表示される。また、写真冊子の体裁、シートサイズ、冊子頁数の少なくともいずれか１つを設定した状態で料金を設定することで、未設定の注文条件が自動設定されるようなモードを採用することも可能である。また、注目条件入力画面で予め料金を設定することなく、撮影画像の割付処理状況によって自動的に料金を算出することも可能である。例えば、設定された注文条件に基づいて行う、割付処理の初期の段階途中で、顧客が想定する残りの割付撮影画像コマの数の希望を改めて確認し、その希望個数から自動算出する料金を自動設定する形であってよい。
【００１７】
注文条件入力画面を通じての注文条件情報の設定は注文条件情報設定部２３によって行われ、注文条件情報設定部２３によって生成された注文条件情報はコマ割付管理部３０に送られる（＃０３）。注文条件情報が設定されるか、あるいは直接的に写真冊子テンプレートが選択されると、それに適合するテンプレートが、テンプレート格納部２５から読み出されて、ワーキングメモリ２０に展開される。このテンプレートに関する管理はテンプレート管理部２４によって行われ、テンプレート管理情報はコマ割付管理部３０に送られる（＃０４）。
【００１８】
さらに、顧客が、写真冊子にしたい撮影画像を記録している記録メディアを注文受付機のメディアリーダ１２に投入することで、記録メディアから撮影画像がワーキングメモリ２０に転送され、転送された全ての撮影画像から画像選択画面を通じてプリント候補撮影画像が選択される（＃０５）。
【００１９】
プリント候補となる、つまり写真冊子に形成される撮影画像の選択画面の一例であるプリント候補撮影画像選択画面が図４に示されている。この画像選択画面には、この注文受付機のメディアリーダ１２に投入された記録メディアに記録されている全撮影画像のサムネイル画像がスクロール表示されるので、顧客はその中から、今回の写真冊子に割り付けることを希望する撮影画像をクリック等で選択する。選択された撮影画像には、それ以外の撮影画像と区別するため、マーカや外枠線などが付加される。記録メディアに記録されている全撮影画像が割り付け対象となることもあるので、プリント候補撮影画像選択画面が表示される前に、全選択または部分選択かを選ぶ画面が表示され、全選択が選ばれると、この撮影画像選択処理は省略される。
【００２０】
この撮影画像の選択処理の管理は入力画像処理部２１によって行われる（＃０６）。入力画像処理部２１は、写真冊子に組み込む（割り付けとも呼ばれる）ために顧客によって選択されたプリント候補撮影画像をプリント候補撮影画像格納部２２に一時的に格納するとともに、その選択されたプリント候補撮影画像を特定する情報やそれらの画像の属性情報からなる選択画像情報を次の割り付け処理に備えてコマ割付管理部３０に転送する。
【００２１】
注文条件情報設定部２３から注文条件情報を、入力画像処理部２１から選択画像情報を受け取ったコマ割付管理部３０は、テンプレート管理部２４で管理されているテンプレートによって規定された本文頁シートの所定箇所に、プリント候補撮影画像格納部２２から読み出した撮影画像を割り付ける割付処理を管理する（＃０７）。このような、テンプレートに対して撮影画像を割り付けていく割付処理自体は、従来から知られているように、モニタ１０に表示される編集画面を見ながら、タッチパネル１１を通じて顧客が割り付け指示を与えることで進行していく（＃０８）。
【００２２】
図５に、編集画面の一例が示されている。この編集画面では、その上段に、スクロール表示されたプリント候補撮影画像のサムネイル画像列と、これまで既に割り付けられた撮影画像のコマ枚数と、既に編集を終えた（撮影画像が割り付けられた）本文頁シートの枚数が表示されている。スクロール表示されているサムネイル画像においても既に割り付けられたものに対してはマーカが付与されている。その際、割り付けられた本文頁シートの頁も付与するようにすれば便利である。編集画面の中央部には、見開きの本文頁シートのレイアウトが表示されている。このシートレイアウトに割り付けたい撮影画像を上段のサムネイル画像列から選んで、所望の位置にドラッグすることで撮影画像が割り付けられる。各本文頁シートへの撮影画像の割付位置や割付枚数は、基本的には冊子体裁毎に決められているが、それらが任意に選択できるモードも用意されている。
【００２３】
なお、このコントロールユニット２に構築されている、本発明を特徴付けるための機能部としては、未処理情報生成部３１、未処理情報報知部３２、注文条件情報変更部３３、コマ割付調整部３４が挙げられる。未処理情報生成部３１は、注文条件情報設定部２３から注文条件情報を、コマ割付管理部３０から撮影画像の割付情報を受け取り、注文条件情報を参照して、未割付本文頁シートまたは未割付プリント候補撮影画像あるいはその両方に関する未処理情報を所定のタイミングで生成する（＃０９）。この所定のタイミングとして、所定枚数分、例えば、２枚分の本文頁シートへの割付処理が終了する毎に行ってもよいし、所定時間間隔で行ってもよい。この未処理情報には、プリント候補撮影画像として選択された撮影画像のうちまだ本文頁シートに割り付けられていない撮影画像のコマ枚数、注文対象となっている写真冊子が本文頁シートの枚数を予め制限している場合にはその規定枚数のうちまだプリント候補撮影画像が割り付けられていないシートの枚数などが含まれている。
【００２４】
未処理情報報知部３２は、未処理情報生成部３１から上記のような未処理情報を受け取ると、未処理情報に含まれている情報を顧客に報知する（＃１０）。この報知は、スピーカを通じての音声やモニタへの表示などによって行うことができるが、この実施形態では、表示中の編集画面に重ねて未処理情報表示サブウインドウの形で表示する形態が採用されている。
【００２５】
編集画面を通じての割付作業の途中で表示される未処理情報表示画面Ｍの内容に鑑み、このままの割付作業を中止して、設定されていた注文条件を変更するために注文条件変更画面を表示させている、一連の画面の移り変わりが図６に示されている。この図６から明らかなように、未処理情報表示サブウインドウには変更ボタンが含まれている。未処理情報の表示を見てこれまで行ってきた写真冊子の編集、つまり撮影画像の割付処理に問題があると顧客が判断した場合この変更ボタンをクリックすることで、この写真冊子制作注文処理の前提条件となっていた注文条件を変更することができる注文条件変更画面がモニタ１０に表示される（＃１１）。
【００２６】
表示された注文条件変更画面に配置されている、この写真冊子制作の注文代金である料金欄、プリント出力機１００におけるプリントサイズである冊子サイズ欄、写真冊子に含まれる本文頁シートの枚数欄、などの注文条件変更欄を通じて注文条件を変更することができる。これらの各条件は互いに連係しており、１つの条件値を変更すると他の条件値も変更される。例えば、料金の増減は、シート枚数の増減または冊子サイズの変更あるいはその両方をもたらす。また、冊子サイズの変更は、料金の増減またはシート枚数の増減あるいはその両方をもたらす。シート枚数の増減は、料金の増減または冊子サイズの変更あるいはその両方をもたらす。この注文条件変更画面を通じて、想定していた枚数以上の撮影画像を割り付けた写真冊子を注文することや想定した料金を超えることなしに所望の撮影画像の全てを、そのプリントサイズは小さくなるとしても、割り付けた写真冊子を注文することが注文途中からの変更で可能となる。
【００２７】
図６に示されている未処理情報表示画面Ｍや注文条件変更画面の内容やレイアウトは、説明を簡単にするための簡易的なものであり、実際にはよりわかりやすいように、グラフィカルで豊富な説明が表示される。
【００２８】
注文条件変更画面を通じて顧客によって変更された注文条件の内容は、注文条件情報変更指令という形で注文条件情報変更部３３に送られる（＃１２）。注文条件情報変更部３３は、受け取った注文条件情報変更指令に基づいて注文条件情報設定部２３で設定された注文条件情報を変更する（＃１３）。その結果、コマ割付調整部３４が注文条件情報変更部３３によって変更された注文条件情報に基づいて本文頁シートへの撮像画像（プリント候補撮影画像）の割り付けを調整する（＃１４）。例えば、料金を変更することにより自動的に、あるいは直接的に、冊子サイズ、本文頁シートの頁数（枚数）、単位本文頁シートあたりの撮影画像の割付枚数などが変更されると、それに応じて、注文写真冊子の出来上がりイメージが変更されるとともに、この写真冊子制作注文の割付情報が変更される。
【００２９】
以上の説明には触れられていなかったが、コントロールユニット２には、ＧＵＩ５０、画像処理部４０、プリントデータ生成部４１などが構築されている。ＧＵＩ５０は、顧客に対するモニタ画面上での各種の情報の表示にグラフィックを用い、その操作入力をタッチパネルと組み合わせて行うためのユーザインターフェースを作り出す。画像処理部４０は、ワーキングメモリ２０に展開された撮影画像に対して、解像度変換、濃度変換、拡大縮小処理、各種フィルタ処理などを行う。プリントデータ生成部４１は、必要に応じて注文処理途中で注文条件を変更しながらの最適な写真冊子の注文処理が完了すると、最終的に写真冊子を構成する各頁シートを出力するプリント出力機１００のためのプリントデータを制作するためのプリントデータを生成する。プリントデータ生成部４１で生成されたプリントデータは、ＬＡＮやインターネットなどのＷＡＮを介してプリント出力機１００へ伝送される。
【００３０】
〔別実施の形態〕
（１）上述した実施の形態では、本発明による写真冊子注文受付機は、ＤＰショップなどの写真サービス店やコンビニエンスストア等の店頭に設置されるセルフサービス式注文受付機として適用されていたが、本発明による写真冊子注文受付プログラムをインストールすることにより顧客のパソコンを上記のような写真冊子注文受付機として機能させることも可能である。
（２）上述した実施の形態では、所定分の割り込み処理が終了したタイミングまたは所定時間経過のタイミングで、未処理情報生成部によって生成された未処理情報を未処理情報報知部がモニタ画面に表示した。これに代えて、未処理情報生成部が常に未処理情報を更新していくとともに所定のルールに基づいて割付処理のそのままの続行が設定されている注文条件から逸脱した写真冊子になりそうだと判定された場合に、自動的に未処理情報が報知されるような構成を採用してもよい。
（３）注文条件情報が変更された場合、コマ割付調整部３４は変更された注文条件情報に基づいて自動的に割付情報を変更してもよいが、編集画面を通じて各本文頁シートに対する撮影画像の割り付けを顧客との対話形式で変更確認しながら、割付情報を変更する構成を採用してもよい。
（４）上述した実施の形態では、図４で示された画像全体からプリント候補撮影画像を選択することを前提に、その選択されたプリント候補画像から未割付コマ枚数を表示する形を採用している。しかしながら、この発明は、この狭義な実施形態の形に限定されることなく、例えば、図４で示された画像全体からプリント候補の選択と割付を同時に進めていくものであってもよい。そしてその場合は、未割付コマ数の代わりに、設定された金額と設定された他の注文条件から割付が可能である可能枚数などを表示するものであってもよい。
（５）上述した実施の形態では、注文条件情報として、注文金額に関係する冊子サイズや本文頁シート枚数や本文頁シートにおいて割り付けられる撮影画像の最大コマ数などを示す。しかし、この内容に限定されることなく、注文金額自体も注文条件情報として扱ってよいことは言うまででもない。
【符号の説明】
【００３１】
２：コントロールユニット
１０：モニタ
１１：タッチパネル
２１：入力画像処理部
２２：プリント候補撮影画像格納部
２３：注文条件情報設定部
２４：テンプレート管理部
３０：コマ割付管理部
３１：未処理情報生成部
３２：未処理情報報知部
３３：注文条件情報変更部
３４：コマ割付調整部
４１：プリントデータ生成部
１００：プリント出力機
Ｍ：未処理情報表示画面
【図１】
2011075994.tif 000003
【図２】
2011075994.tif 000004
【図３】
2011075994.tif 000005
【図４】
2011075994.tif 000006
【図５】
2011075994.tif 000007
【図６】
2011075994.tif 000008